(57)【特許請求の範囲】
【請求項１】
使用者が踏み台に足を乗せた状態でハンドル部を取って乗るハンドル軸部が折り畳まれる折り畳み式キックボードであって、
上記ハンドル軸部は、２段で折り畳まれるように構成され、
上記ハンドル軸部は、それぞれの一端部が互いに繋がった状態で回転するように構成された第１上部ユニットと第１下部ユニット；及び上記第１上部ユニットと第１下部ユニットの中にそれぞれ挿入されてスライディングされる第２上部ユニットと第２下部ユニットで構成され、
上記第１下部ユニットと第２下部ユニットの上端側面には、それぞれ相互に分離された第１ロッキングバンドと第２ロッキングバンドが設けられ、
上記第１上部ユニットと第２上部ユニットが全部第１下部ユニットと第２下部ユニットの内側へスライディングして挿入されると、上記第１ロッキングバンドと第２ロッキングバンドの高さの位置が相互に異なるように分離され、それぞれのフック状端部が相互にかみ合わなくなり、
上記第１上部ユニットと第２上部ユニットが全部第１下部ユニットと第２下部ユニットの外方へスライディングして抜けると、上記第１ロッキングバンドと第２ロッキングバンドの高さ位置が相互に同じようになって、それぞれのフック状端部が相互にかみ合う位置となる、
折り畳み式キックボード。
【請求項２】
上記踏み台は、上記踏み台に繋がった状態で上記踏み台に繋がった部分が回転できるように構成されたフットフロントを有し、
上記踏み台の下部には、ロッキング突起が固定するように設けられた一対のロッキング部が設けられ、一対のロッキング部の間隔が縮まるようになると、上記フットフロントのロッキング孔に挿入された上記ロッキング突起が上記ロッキング孔から離脱される、請求項１に記載の折り畳み式キックボード。
【請求項３】
使用者の足が乗せられる踏み台；
前輪が設けられて踏み台と繋がるボディー部；
上記ボディー部と繋がったハンドル軸部；及び
上記ハンドル軸部の上端に構成され、使用者が両手で取るようになるハンドル部で構成されたキックボードであって、
上記ハンドル軸部は、それぞれの一端部が相互に繋がった状態で、互いに回転するように構成された第１下部ユニットと第２下部ユニット；及び上記第１下部ユニットと第２下部ユニットにそれぞれ挿入されて上下方向にスライディングする第１上部ユニットと第２上部ユニットで構成され、
上記第１下部ユニットと第２下部ユニットの上端の側面には、それぞれ互いに分離された第１ロッキングバンドと第２ロッキングバンドが設けられ、
上記第１上部ユニットと第２上部ユニットが全部第１下部ユニットと第２下部ユニットの内側にスライディングして挿入されると、上記第１ロッキングバンドと第２ロッキングバンドの高さ位置が相互に異なるように分離されて、それぞれのフック状端部が相互にかみ合わなくなり、
上記第１上部ユニットと第２上部ユニットが全部第１下部ユニットと第２下部ユニットの外方へスライディングして抜けると、上記第１ロッキングバンドと第２ロッキングバンドの高さ位置が相互に同一になって、それぞれのフック状端部が相互にかみ合う位置になる、
折り畳み式キックボード。
【発明の詳細な説明】
【技術分野】
【０００１】
本発明は、折り畳み式キックボードに係り、より詳しく説明すれば、踏み台部分を２段で折り畳むことができるし、ハンドル軸の長さを自在に調節することができるため、完全に折り畳まれたキックボードの大きさが踏み台の長さの分縮まることができる、折り畳み式キックボードに関する。
【背景技術】
【０００２】
通常、子供たちが乗って遊戯を楽しむキックボードは、前方に一輪が設けられ、後方の踏み台に補助輪が設けられ、前方の一輪をハンドルで操作しながら後方の踏み台に足を乗せて他方の足で駆動することによって乗用感と速度感を楽しめるように構成されたものである。
【０００３】
一方、このようなキックボードの構成は、既に広く公知された技術であるため、詳細な説明は省略する。ちなみに、上記キックボードは、韓国登録特許公開公報第９８-５２０号（機械式三輪スクーター）及び登録実用新案公告番号第１８０８６０号（二輪カー）に詳しく記されている。
【０００４】
しかし、上記のような構成を有するキックボードは、ハンドルが折り畳まれず、常に上方に向っているため、保管や運搬時に体積が大きくなって空間を多く占めるだけでなく、特に子供たちには運びにくい短所がある。
【０００５】
また、前述したキックボードは、移動時にハンドルがそのまま突出されているため、周りに置かれている物品にぶつかって損傷を与えたり、ハンドルが破損する場合がある。
【０００６】
図３１は、従来の折り畳み可能なキックボードを図示した図面である。
【０００７】
従来の折り畳み可能なキックボードの構成は、通常のハンドル１００を備え、このハンドル１００はハンドルステム１０２に挿入されて上下に移動し、上記ハンドルステム１０２の端部には通常の車輪１０４に組み立てられる。また、上記ハンドルステム１０２の下端後方には、コの字型のフレームが溶接して固定され、このフレームの上端面には四角い穴１２が形成され、両側端には長方形タイプの長孔１６を有する。一方、上記長孔１６の上側にはヒンジ孔１４が形成され、このヒンジ孔１４にはレバー１８を組み立てるためのシャフト２８が挿入される。
【０００８】
上記レバー１８は、表面にナーリング（ローレット切り）処理された取っ手２０を有し、上記取っ手２０には下方へ延びた延長部２２が形成され、上記延長部２２の端部には前述したシャフトが嵌め込まれるための結合孔２４が形成される。
【０００９】
また、この結合孔２４の端部には前方で折り曲げられたストッパー３０を安着するために反時計回りにラウンディングされた係止部２６が一体と形成される。
【００１０】
一方、このような構成を有するレバー１８は、フレーム１０の四角い穴１２に挿入されるし、シャフト２８でフレーム１０に組み立てられて回転するようになる。この時、前述したストッパー３０は、レバー１８の係止部２６に安着され、フレーム１０の長孔１６に沿って移動する。
【００１１】
前述したフレーム１０の下端部にはヒンジ孔１７が形成され、このヒンジ孔１７はハンドル１００のハンドルステム１０２とボード１０８を繋ぐ媒介体の役割をする。
【００１２】
上記ボード１０８は、片足を載せられるように平たく作られ、後方端部には車輪１１０が付着されるし、上記車輪１１０にはブレーキフェンダー１１２が設けられる。この時、上記ブレーキフェンダー１１２には、図示はしていないが、ブレーキが設けられている。一方、このような構成は既に広く公知された技術である。
【００１３】
前述したボード１０８の上端面には扇形のプレートが一定の間隔を保ちながら離隔して設けられており、上記各プレートの周りの面には第１固定溝と第２固定溝４２ａ、４２ｂがそれぞれ形成される。
【００１４】
この時、第１、２固定溝４０、４２はプレート３６の中心方向へ、望ましくは扇形の中心方向へと深く掘られて形成され、上記第１、２固定溝４０、４２には前述のストッパー３０が掛かるようになる。すなわち、上記第１固定溝４０ａ、４０ｂにストッパー３０が挿入されていればハンドル１００は上方に伸びた状態を保つようになるし、逆に上記ストッパー３０が第２固定溝４２ａ、４２ｂに挿入されていればハンドル１００はボード１０８に密着されて折り畳まれた状態を保つようになる。
【００１５】
最後に、前述したプレート３６ａ、３６ｂの中心にはヒンジ孔３８ａ、３８ｂが形成され、上記ヒンジ孔３８ａ、３８ｂと前述したフレーム１０のヒンジ孔１７にはシャフト３４が挿入され、これによってフレーム１０はプレート３６に組み立てられて回転運動するようになる。一方、前述したストッパー３０とシャフト３４は、スプリング３２によって互いに張力を与えながら繋がるし、好ましくは、上記スプリング３２のラック３２ａにはストッパー３０が結合され、ラック３２ｂにはシャフト３４が結合されることで、互いに弾性を与えながらスプリング３２の方へ引っ張られるようになる。
【００１６】
本発明による折り畳み式キックボードの先行技術文献としては、韓国実用新案登録番号２０-０２１９８５４、公告日付２００１年０４月１６日、考案の名称：キックボードの操向台の折り畳み部構造があるし、別の文献としては、韓国実用新案登録番号２０-０２０４４０３、公告日付２０００年１１月１５日、考案の名称：折り畳み可能なキックボードが開示されている。
【発明の概要】
【発明が解決しようとする課題】
【００１７】
上記のような問題点を解決するための本発明の目的は、キックボードを簡単に折り畳んで保管及び移動できる折り畳み式キックボードを提供することにある。
【課題を解決するための手段】
【００１８】
上記の目的を達成するために、本発明による折り畳み式キックボードは、使用者が踏み台部に足を乗せた状態でハンドル部を取って乗るハンドル軸部が折り畳まれる折り畳み式キックボードであって、上記ハンドル軸部は２段で構成されることを特徴とし、
上記ハンドル軸部は、それぞれの一端部が互いに繋がった状態で回転するように構成された第１上部ユニットと第１下部ユニット；及び
上記第１上部ユニットと第１下部ユニットの中にそれぞれ挿入されてスライディングされる第２上部ユニットと第２下部ユニットで構成されることを特徴とし、
上記踏み台部は、互いに繋がった状態で互いに繋がった部分が回転できるように構成されたフットフロントと踏み台で構成されたことを特徴とし、
上記フットフロントと踏み台の底面には、ロッキングシャフトが設けられ、上記ロッキングシャフトがフットフロントと踏み台の底面を同時に固定する場合は、上記フットフロントと踏み台が互いに回転しないことを特徴とし、
使用者の足が乗せられる踏み台；前輪が設けられて踏み台と繋がるボディー部；
上記ボディー部と繋がったハンドル軸部；及び、上記ハンドル軸部の上端に構成されて使用者が両手で取るようになるハンドル部で構成されたキックボードであって、
上記ハンドル軸部は、それぞれの一端部が互いに繋がった状態で回転できるように構成された第１下部ユニットと第２下部ユニット；及び上記第１下部ユニットと第２下部ユニットにそれぞれ挿入されてスライディングする、第１上部ユニットと第２上部ユニットで構成されることを特徴とし、
上記第１下部ユニットと第２下部ユニットの上端の側面には、それぞれ互いに分離された第１ロッキングバンドと第２ロッキングバンドが設けられ、
上記第１上部ユニットと第２上部ユニットが全部第１下部ユニットと第２下部ユニットの内側へスライディングされて挿入されると、上記第１ロッキングバンドと第２ロッキングバンドの位置が相互異なるように分離されることを特徴とする。
【発明の効果】
【００１９】
以上で見たように、本発明による折り畳み式キックボードは、キックボードのハンドル軸バーが２つの別途ユニットで分離され、それぞれスライディングしながら長さが調節されることができるし、また折り畳まれるように構成され、踏み台も２段で完全に折り畳まれるように構成され、キックボードの長さが踏み台の長さとほぼ同じようになって、使用者が保管し易いだけでなく、移動時も容易に移動させることができる長所を持っている。
【００２０】
また、ハンドル軸バーの長さが調節し易くて、使用者の年齢にかかわらず、キックボードを楽しめる効果がある。
【図面の簡単な説明】
【００２１】
【図１】本発明による折り畳み式キックボードの斜視図である。
【図２】本発明による折り畳み式キックボードにおいて、踏み台とフットフロントが折り畳まれるようにする１段階の様子を図示した斜視図である。
【図３】本発明による折り畳み式キックボードにおいて、踏み台とフットフロントが折り畳まれるようにする２段階の様子を図示した斜視図である。
【図４】本発明による折り畳み式キックボードにおいて、踏み台とフットフロントが折り畳まれるようにする３段階の様子を図示した斜視図である。
【図５】本発明による折り畳み式キックボードにおいて、踏み台の底面に設けられるロッキングモジュールの分解された構成を図示した分解斜視図である。
【図６】本発明による折り畳み式キックボードにおいて、踏み台の底面に設けられるロッキングボディーが停止した状態で、フットフロントと固定するためのロッキング棒がロッキング溝の外部に突出された様子の斜視図である。
【図７】本発明による折り畳み式キックボードにおいて、踏み台の底面に設けられるロッキングボディーが後にスライディングされた状態で、フットフロントと固定するためのロッキング棒がロッキング溝の内側へ挿入された様子の斜視図である。
【図８】本発明による折り畳み式キックボードにおいて、踏み台の底面に設けられるロッキングボディーが停止した状態で、フットフロントと固定するためのロッキング棒がロッキング溝の外部に突出された様子を図示した断面図である。
【図９】本発明による折り畳み式キックボードにおいて、踏み台の底面に設けられるロッキングボディーが後にスライディングされた状態で、フットフロントと固定するためのロッキング棒がロッキング溝の内側へ挿入された様子を図示した断面図である。
【図１０】本発明による折り畳み式キックボードにおいて、ボディー部に対してフットフロントが折り畳まれるようにするロッカー部の分解斜視図である。
【図１１】本発明による折り畳み式キックボードにおいて、フットフロントがボディー部に対して折り畳まれた様子の斜視図である。
【図１２】本発明によるキックボードにおいて、踏み台とフットフロントが完全に折り畳まれた状態でハンドル軸部の第１上部ユニットと第２上部ユニットの一部が第１下部ユニットと第２下部ユニットに対して下方に挿入された様子が図示された斜視図である。
【図１３】本発明によるキックボードにおいて、踏み台とフットフロントが完全に折り畳まれた状態でハンドル軸部の第１上部ユニットと第２上部ユニットの全部が第１下部ユニットと第２下部ユニットの中に挿入された様子が図示された斜視図である。
【図１４】本発明による折り畳み式キックボードにおいて、第１上部ユニットが挿入された第１下部ユニットと第２上部ユニットが挿入された第２下部ユニットがそれぞれ左右で歯車がかみ合って開かれた様子を図示した斜視図である。
【図１５】本発明による折り畳み式キックボードが完全に折り畳まれる直前の姿を図示した斜視図である。
【図１６】本発明による折り畳み式キックボードでハンドル部の分解斜視図である。
【図１７】本発明によるキックボードが完全に折り畳まれた状態で、第１下部ユニットと第２下部ユニットを回転させ、互いに当接する様子が図示された斜視図である。
【図１８】本発明によるキックボードが完全に折り畳まれた状態で、第１下部ユニットと第２下部ユニットを回転させ、互いに当接する様子の部分切断された正面図である。
【図１９】本発明によるキックボードにおいて、第１下部ユニットと第２下部ユニットを回転させ、互いに当接するようにした状態で、第１上部ユニットと第２上部ユニットが上方にスライディングされた様子が図示された斜視図である。
【図２０】本発明によるキックボードにおいて、第１下部ユニットと第２下部ユニットを回転させ、互いに当接するようにした状態で、第１上部ユニットと第２上部ユニットが上方にスライディングされた様子が図示された部分切断正面図である。
【図２１】本発明によるキックボードにおいて、ハンドル部を長手方向と垂直に切断した切断図である。
【図２２】本発明によるキックボードにおいて、ロッキングレバーを回転させて第１及び第２ロッキングバンドが締められる構成を図示した断面図である。
【図２３】本発明の基本実施例による折り畳み式キックボードが折り畳まれた姿の正面図である。
【図２４】本発明の基本実施例による折り畳み式キックボードにおいて、第１及び第２下部ユニットが広げられた姿の正面図である。
【図２５】本発明の基本実施例による折り畳み式キックボードにおいて、両ハンドル部が折り畳まれた様子の正面図である。
【図２６】本発明の基本実施例による折り畳み式キックボードにおいて、第１及び第２下部ユニットが互いに結合された姿の正面図である。
【図２７】本発明の基本実施例による折り畳み式キックボードにおいて、第１及び第２上部ユニットが上方にスライディングされて上がった様子の正面図である。
【図２８】本発明の基本実施例による折り畳み式キックボードにおいて、第１及び第２上部ユニットが上方にスライディングされて上がった様子の斜視図である。
【図２９】本発明の基本実施例による折り畳み式キックボードおいて、第１上部ユニット及び第１下部ユニットがスライディングされて上げられた様子の斜視図である。
【図３０】本発明の基本実施例による折り畳み式キックボードにおいて、第１上部ユニット及び第１下部ユニットがスライディングされて上げられた様子の別の斜視図である。
【図３１】従来の折り畳み可能なキックボードを図示した図面である。  以下、本発明の好ましい実施例の詳細な説明が添付された図面を参照して説明する。下記で各図面の構成要素に参照符号を付することにおいて、同じ構成要素に対しては、たとえ他の図面上に示されても可能な限り同じ符号を付していることに留意しなければならない。
【発明を実施するための形態】
【００２２】
図１は、本発明による折り畳み式キックボードの斜視図である。図１を参照すれば、本発明による折り畳み式キックボードは、従来のキックボードと同じ構成として、使用者の足が乗せられる踏み台１０、前輪３２が設けられて動く方向を操る操向部３０、操向部３０と繋がったハンドル軸部４２、４３、４４、４５、及び上記ハンドル軸部４２、４３、４４、４５の上端に構成されて使用者が両手を取るようになるハンドル部６９で構成されている。
【００２３】
図２は、本発明による折り畳み式キックボードにおいて、踏み台とフットフロントが折り畳まれるようにする１段階の様子を図示した斜視図である。図２を参照すれば、本発明の踏み台１０とフットフロント１４が回転軸シャフト３７によって互いに繋がっている状態で両方のロッキング突起１７が突出してロッキング孔１９に挿入されている間には、踏み台１０とフットフロント１４が回転軸シャフト３７を中心として折り畳まれなくなる。
【００２４】
図３は、本発明による折り畳み式キックボードにおいて、踏み台とフットフロントが折り畳まれるようにする２段階の様子を図示した斜視図である。図３を参照すれば、本発明のロッキングボディー１５を右側に押すと、ロッキング孔１９にはめ込まれたロッキング突起１７が内側へ移動するようになってロッキング孔１９にはめ込まれなくなる。
【００２５】
したがって、本発明のフットフロント１４と踏み台１０とのロッキングが解除される。図４は、本発明による折り畳み式キックボードにおいて、踏み台とフットフロントが折り畳まれるようにする３段階の様子を図示した斜視図である。
【００２６】
図４を参照すれば、本発明のフットフロント１４と踏み台１０とのロッキングが解除された状態になれば、踏み台１０を回転軸シャフト３７を中心にして回転させながら曲げるようになる。
【００２７】
図５は、本発明による折り畳み式キックボードにおいて、踏み台の底面に設けられるロッキングモジュールの分解された構成を図示した分解斜視図である。図５を参照すれば、本発明による折り畳み式キックボードにおいて、使用者の足が乗せられる踏み台１０の底面には一対のガイド台９４が設けられていて、一対のガイド台９４の間にはロッキングボディー１５がはめ込まれてスライディングするように構成される。
【００２８】
本発明の踏み台１０の底面の前部には、一対のロッキング部２０１、２０２が配置され、それぞれのロッキング部２０１、２０２には円筒状のロッキング突起１７がそれぞれのロッキング部２０１、２０２と固定されるように設けられ、それぞれのロッキング突起１７の間にはコイルスプリング２１が設けられている。
【００２９】
本発明によるそれぞれのロッキング部２０１、２０２の上部は、直角三角形で突出された直角三角形部２０が形成されており、それぞれの直角三角形部２０は直角三角形の高さ部分が互いに見合わせる対称された形で構成されている。
【００３０】
本発明のそれぞれのロッキング突起１７は孔１１９にはめ込まれるように配置され、ロッキング部２０１の直角三角形部２０の斜辺は、ロッキングボディー１５の前側の底面の両面に構成された突部１６に当接するようになる。
【００３１】
本発明のロッキングボディー１５には、側面を貫く２つの貫通孔１６５、１５５が形成され、前方貫通孔１６５には回転軸シャフト３７がはめ込まれるし、後方貫通孔には別のシャフトがはめ込まれるようになってロッキングボディー１５がガイド台９４に設けられるようになる。
【００３２】
図６は、本発明による折り畳み式キックボードにおいて、踏み台の底面に設けられるロッキングボディーが停止された状態で、フットフロントと固定するためのロッキング棒がロッキング溝の外部へ突出された姿の斜視図である。
【００３３】
図７は、本発明による折り畳み式キックボードにおいて、踏み台の底面に設けられるロッキングボディーが後にスライディングされた状態で、フットフロントと固定するためのロッキング棒がロッキング溝の内側に挿入された様子の斜視図である。
【００３４】
図７を参照すれば、本発明のロッキングボディー１５を使用者が後に押すと、一対のロッキング部２０１、２０２の広がった間隔が縮まるようになり、よって、それぞれのロッキング部２０１、２０２と固定されるように設けられたそれぞれのロッキング棒１７がそれぞれのロッキング溝１９の内側に入るようになる。したがって、本発明のガイド台９４の外側面の外へ本発明のロッキング棒１７が突出しなくなる。
【００３５】
図８は、本発明による折り畳み式キックボードにおいて、踏み台の底面に設けられるロッキングボディーが停止された状態で、フットフロントと固定するためのロッキング棒がロッキング溝の外部へ突出された様子を図示した断面図である。図９は、本発明による折り畳み式キックボードにおいて、踏み台の底面に設けられるロッキングボディーが後にスライディングされた状態で、フットフロントと固定するためのロッキング棒がロッキング溝の内側へ挿入された様子を図示した断面図である。
【００３６】
図８を参照すれば、コイルスプリング２１の弾性力によってロッキング部２０１、２０２及びロッキング棒１７が左右方向に押し出され、左右のロッキング棒１７がガイド台９４に形成された孔１１９の外側へ突出されるし、突出されたロッキング棒１７がフットフロント１４のロッキング孔１９にはめ込まれて踏み台１０がフットフロント１４に固定されるようになる。
【００３７】
本発明のロッキングボディー１５の底面の前側には、一対の突部１６が形成され、一対の突部１６はロッキング部２０１、２０２の上端に形成された長方形部２０の斜辺に当接するように構成される。
【００３８】
図９を参照すれば、本発明のロッキングボディー１５を使用者が後に押すと、ロッキングボディーの底面に形成された突部１６も後に押されるようになり、両直角三角形部２０の間の距離が近接するようになって、一対のロッキング部２０１、２０２の広がった間隔が縮まるようになる。
【００３９】
そして、それぞれのロッキング部２０１、２０２と固定されるように設けられたそれぞれのロッキング棒１７が、それぞれの孔１１９の中へ入るようになる。したがって、本発明のガイド台９４の外側面の外へ本発明のロッキング棒１７が突出しなくなる。
【００４０】
この状態で、本発明による踏み台１０は、フットフロント１４とロッキングが解除され、図４のように踏み台１０が曲がるようになる。
【００４１】
図１０は、本発明による折り畳み式キックボードにおいて、ボディー部に対してフットフロントが折り畳まれるようにするロッカー部の分解斜視図である。図１１は、本発明による折り畳み式キックボードにおいて、フットフロントがボディー部に対して折り畳まれた姿の斜視図である。
【００４２】
図１０及び図１１を参照すれば、本発明による折り畳み式キックボードにおいて、フットフロント１４をボディー部３０にロッキングするロッカー部は、本発明のボディー部３０の両側面に突出された押し部２１２を使用者が指で押すと、フットフロント１４のロッキング溝２１６にかかっているロッキング突出部２０６も一緒に押されるようになる。このような状態で、本発明の使用者はフットフロント１４を反時計回りに回転させてフットフロント１４を折り畳む。
【００４３】
本発明による押し部２１２とロッキング突出部２０６が一つのボディーで構成されたユニットがそれぞれ１つずつ互いに見合わせるように配置され、その間にはコイルスプリングがはめ込まれた構成を有する。本発明によるロッカー部の前側は、カバー２２１で覆われるように構成される。
【００４４】
図１２は、本発明によるキックボードにおいて、踏み台とフットフロントが完全に折り畳まれた状態で、ハンドル軸部の第１上部ユニットと第２上部ユニットの一部が第１下部ユニットと第２下部ユニットに対して下方に挿入された様子が図示された斜視図である。
【００４５】
図１２を参照すれば、本発明による第１上部ユニット４２と第２上部ユニット４４の側面には、一定間隔でストッピング溝４６が形成されている。
【００４６】
本発明による第１下部ユニット４３と第２下部ユニット４５に設けられたストッピングレバー７０には、ストッピング棒７２が設けられており、ストッピング棒７２がストッピング溝４６にはめ込まれて、第１上部ユニット４２と第２上部ユニット４４が第１下部ユニット４３と第２下部ユニット４５に固定されるようになる。
【００４７】
本発明によるキックボードでは、使用上の安全のためにストッピングレバー７０によって第１上部ユニット４２と第２上部ユニット４４を固定すること以外も、ロッキングモジュールがさらに１つ設けられている。
【００４８】
本発明の第１下部ユニット４３と第２下部ユニット４５の上端部にはロッキングレバー８４が設けられ、ロッキングレバー８４を時計回りに回転させると、フック状端部８１、８３が相互かかっている第１ロッキングバンド８０と第２ロッキングバンド８２が本発明による第１下部ユニット４３と第２下部ユニット４５の上端部を締めるようになると同時に、第１上部ユニット４２と第２上部ユニット４４もしっかり締められるようになる。
【００４９】
図１３は、本発明によるキックボードにおいて、踏み台とフットフロントが完全に折り畳まれた状態でハンドル軸部の第１上部ユニットと第２上部ユニットの全部が第１下部ユニットと第２下部ユニットの中に挿入された様子が図示された斜視図である。
【００５０】
図１３を参照すれば、本発明による第１上部ユニット４２と第２上部ユニット４４が完全にの下方にスライディングされて第１下部ユニット４３と第２下部ユニット４５の中に挿入されるようになれば、第１ロッキングバンド８０は第２ロッキングバンド８２から離脱されながらの下方にスライディングされる。
【００５１】
本発明の第２上部ユニット４４には突出部１４４が形成されており、本発明の第２上部ユニット４４が下方にスライディングされながら突出部１４４の底面によって第１ロッキングバンド８０がガイド孔１８１に沿って下方にスライディングされるので、第１ロッキングバンド８０は第１上部ユニット４２に固定されている第２ロッキングバンド８２から離脱され、下方にスライディングされるようになる。
【００５２】
本発明による第１ロッキングバンド８０が第１上部ユニット４２に固定されている第２ロッキングバンド８２から離脱されて下部に位置するため、第１下部ユニット４３と第２下部ユニット４４は、それぞれ独立に左右歯車９０にかみ合って回転することができる。
【００５３】
図１４は、本発明による折り畳み式キックボードにおいて、第１上部ユニットが挿入された第１下部ユニットと、第２上部ユニットが挿入された第２下部ユニットがそれぞれ左右歯車にかみ合って広まった様子を図示した斜視図である。
【００５４】
図１４を参照すれば、本発明による第１下部ユニット４３と第２下部ユニット４５のそれぞれの端部は、ボディー部３０と繋がる部分が歯車９０で構成され、第１下部ユニット４３と第２下部ユニット４５のそれぞれの歯車９０は同時に回転しながら動くように構成される。
【００５５】
図１５は、本発明による折り畳み式キックボードが完全に折り畳まれる直前の姿を図示した斜視図である。図１５を参照すれば、本発明による右側取っ手６９及びパイプ６８と、左側取っ手及びパイプ１６８までそれぞれ折り畳まれるようになって、本発明による折り畳み式キックボードが完全に折り畳まれるようになる。
【００５６】
図１６は、本発明による折り畳み式キックボードにおいて、ハンドル部の分解斜視図である。図１６を参照すれば、本発明による折り畳み式キックボードのハンドル部は、ゴムまたはシリコーンなどで製作される取っ手６９がはめ込まれる左側及び右側のハンドルパイプ１６９、６９、本発明の左側及び右側のハンドルパイプ１６９、６９をそれぞれ第１上部ユニット４２と第２上部ユニット４４に固定させる固定ヒンジ１００で構成されている。
【００５７】
固定ヒンジ１００に結合された左側及び右側のハンドルパイプ１６９、６９は、一つのシャフトにはめ込まれるので、回転することができる。
【００５８】
ただし、使用者が本発明による折り畳み式キックボードを完全に広げて折り畳み式キックボードに乗る場合、左側及び右側のハンドルパイプ１６９、６９が固定されずに回転すれば危険であるため、右側のハンドルパイプ６８の中にはパイプ状のハンドルロッカー６４が設けられている。
【００５９】
本発明による右側のハンドルパイプ６８の側面には長手方向に一直線である溝が形成され、四角いパイプ状に形成されたハンドルロッカー６４がハンドルパイプ６２の中に挿入されるように構成され、ハンドルロッカー６４は右側のハンドルパイプ６２に長手方向に一直線に形成された溝６７に沿って移動するロッキングボタン６２と繋がって固定するように構成される。
【００６０】
本発明によるパイプ状のハンドルロッカー６４の内部には、スプリングと繋がったニップルボタン６６が設けられ、使用者がロッキングボタン６２を左側方向に移動させることによって、ロッキングボタン６２と繋がったハンドルロッカー６４も左側に移動してハンドルロッカー６４が右側ハンドルパイプ１６８の内部と左側ハンドルパイプ６９の内部に同時に位置するようになって、左側及び右側のハンドルパイプ１６９、６９が動かずに固定するようになる。
【００６１】
図１７は、本発明によるキックボードが完全に折り畳まれた状態で、第１下部ユニットと第２下部ユニットを回転させ、互いに当接する様子が図示された斜視図である。図１８は、本発明によるキックボードが完全に折り畳まれた状態で第１下部ユニットと第２下部ユニットを回転させ、互いに当接する様子の部分切断された正面図である。
【００６２】
図１７及び図１８を参照すれば、本発明によるキックボードが完全に折り畳まれた状態で、第１下部ユニット４３と第２下部ユニット４５を回転させて互いに当接する配置になると、第１ロッキングバンド８０と第２ロッキングバンド８２は異なる位置にある。
【００６３】
本発明の第２上部ユニット４４に形成された突出部１４４の底面によって第１ロッキングバンド８０がガイド孔１８１の下部に押されれているため、第１ロッキングバンド８０は第１上部ユニット４２に固定されている第２ロッキングバンド８２と相互異なる位置にあるようになる。
【００６４】
図１９は、本発明によるキックボードにおいて、第１下部ユニットと第２下部ユニットを回転させ、互いに当接するようにした状態で、第１上部ユニットと第２上部ユニットが上方にスライディングされた姿が図示された斜視図である。図２０は、本発明によるキックボードにおいて、第１下部ユニットと第２下部ユニットを回転させ、互いに当接するようにした状態で、第１上部ユニットと第２上部ユニットが上方にスライディングされた姿が図示された部分切断正面図である。
【００６５】
図１９及び図２０を参照すれば、本発明による第１上部ユニット４２と第２上部ユニット４４の側面には、一定間隔でストッピング溝４６が形成されている。
【００６６】
本発明による第１下部ユニット４３と第２下部ユニット４５に設けられたストッピングレバー７０にはストッピング棒７２が設けられ、ストッピング棒７２がストッピング溝４６にはめ込まれて第１上部ユニット４２と第２上部ユニット４４が第１下部ユニット４３と第２下部ユニット４５に固定される方式で、第１上部ユニット４２と第２上部ユニット４４のスライディングする長さが調整される。
【００６７】
本発明によるキックボードでは、使用上の安全のために、ストッピングレバー７０によって第１上部ユニット４２と第２上部ユニット４４を固定すること以外もロッキングモジュールがさらに１つ設けられている。
【００６８】
本発明による第１上部ユニット４２と第２上部ユニット４４が上方にスライディングするようになれば、本発明の第２上部ユニット４４に形成された突出部１４４がそれ以上第１ロッキングバンド８０を押さなくなるため、内部に設けられたコイルスプリング８８の復元力によって第１ロッキングバンド８０がガイド孔１８１に沿って上方にスライディングするようになり、第１上部ユニット４２に固定されている第２ロッキングバンド８２と同じ位置に配置されるようになる。
【００６９】
この場合、第１ロッキングバンド８０と第２ロッキングバンド８２のフック状の端部８１、８３は、相互かみ合うようになる。
【００７０】
使用者が本発明による第１上部ユニット４２と第２上部ユニット４４をさらに堅く固定させるために、第２下部ユニット４５の上端部に設けられたロッキングレバー８４を回転させれば、フック状端部８１、８３が相互かかっている第１ロッキングバンド８０と第２ロッキングバンド８２が本発明による第１下部ユニット４３と第２下部ユニット４５の上端部を締めるようになり、同時に第１上部ユニット４２と第２上部ユニット４４もしっかり締められるようになる。
【００７１】
図２１は、本発明によるキックボードにおいて、ハンドル部を長手方向と垂直に切断した切断図である。図２２は、本発明によるキックボードにおいて、ロッキングレバーを回転させて第１及び第２ロッキングバンドが締められる構成を図示した断面図である。
【００７２】
図２１及び図２２を参照して、本発明によるキックボードにおいて、ハンドル部を長手方向に垂直方向に切断した内部の構成を見ると、最も内側に第１上部ユニット４２と第２上部ユニット４４が配置されており、第１下部ユニット４３と第２下部ユニット４５が第１上部ユニット４２と第２上部ユニット４４を包んでいる。
【００７３】
本発明による第１下部ユニット４３と第２下部ユニット４５の上端部の側面には、第１ロッキングバンド８０と第２ロッキングバンド８２が設けられており、第１ロッキングバンド８０と第２ロッキングバンド８２の端部８１、８３は、フック状で相互かかっている構成である。
【００７４】
本発明のロッキングレバー８４は、第２ロッキングバンド８２と繋がるように設けられ、ロッキングレバー８４には突出された締め突起８５が形成されている。
【００７５】
図２２を参照すれば、本発明のロッキングレバー８４を時計回りに回すと、突出された締め突起８５が第１下部ユニット４３の表面を押しながら締め突起８５の突出した部分を第２ロッキングバンド８２が第１下部ユニット４３の表面と離隔することになり、同時に第２ロッキングバンド８２と端部８１、８３が相互かかっている第１ロッキングバンド８０も締められるようになって、結局第１下部ユニット４３と第２下部ユニット４５、そして第１上部ユニット４２と第２上部ユニット４４を全部締めることになる。
【００７６】
したがって、本発明による第１上部ユニット４２と第２上部ユニット４４は、第１下部ユニット４３と第２下部ユニット４５に堅く固定するようになる。
【００７７】
図２３は、本発明の基本実施例による折り畳み式キックボードが折り畳まれた正面図である。図２４は、本発明の基本実施例による折り畳み式キックボードにおいて、第１及び第２下部ユニットが広げられた正面図である。図２５は、本発明の基本実施例による折り畳み式キックボードにおいて、両ハンドル部が折り畳まれた様子の正面図である。図２６は、本発明の基本実施例による折り畳み式キックボードにおいて、第１及び第２下部ユニットが相互結合された様子の正面図である。図２７は、本発明の基本実施例による折り畳み式キックボードにおいて、第１及び第２上部ユニットが上方にスライディングされて上がった姿の正面図である。
【００７８】
図２３ないし図２７を参照すれば、本発明の基本実施例による折り畳み式キックボードのハンドル軸部４０は、第１下部ユニット４３と第２下部ユニット４５はそれぞれ下端部にギア９０が設けられてボディー部３０に対して回転するように構成される。
【００７９】
そして、第１上部ユニット４２と第２上部ユニット４４は、折り畳まれた第１下部ユニット４３と第２下部ユニット４５が互いに広げられて結合した状態で、上方にスライディングしながら排出するように構成される。
【００８０】
図２８は、本発明の基本実施例による折り畳み式キックボードにおいて、第１及び第２上部ユニットが上方にスライディングされて上がった様子の斜視図である。図２８を参照すれば、第１上部ユニット４２は、第１下部ユニット４３の中にはめ込まれるように構成され、スライディングされる方式で上下に移動することができるし、また第２上部ユニット４４は第２下部ユニット４５の中にはめ込まれるように構成され、同様にスライディングされる方式で上下移動できるように構成される。
【００８１】
図２９は、本発明の基本実施例による折り畳み式キックボードにおいて、第１上部ユニット及び第１下部ユニットがスライディングされて上がった様子の斜視図である。図３０は、本発明の基本実施例による折り畳み式キックボードにおいて、第１上部ユニット及び第１下部ユニットがスライディングされて上がった様子の別の斜視図である。
【００８２】
図２９及び図３０を参照すれば、第１上部ユニット４２が第１下部ユニット４３の中にはめ込まれて上下にスライディングされるように構成されている。
【産業上の利用可能性】
【００８３】
上記で本発明のこの満四位実施例が特定用語を使用して記述したが、そのような技術は単に説明するためのものであり、次の請求範囲の技術的思想及び範囲から脱することなく、さまざまな変更及び変化が付け加えられることは自明である。このように変形された実施例は、本発明の思想及び範囲から個別的に理解されてはならず、本発明に添付された請求範囲に属する。
【符号の説明】
【００８４】
１０：    踏み台
１４：    フットフロント
１５：    ロッキングボディー
１６：    突部
１７：    ロッキング突起
１９：    ロッキング孔
２０：    直角三角形部
２１：    コイルスプリング
３０：    ボディー部
３６、３７：  回転軸シャフト
４２：    第１上部ユニット
４３：    第１下部ユニット
４４：    第２上部ユニット
４５：    第２下部ユニット
４６：    ストッピング溝
７０：    ストッピングレバー
７２：    ストッピング棒
８０：    第１ロッキングバンド
８２：    第２ロッキングバンド
８１、８３：  フック状端部
８４：    ロッキングレバー
８５：    締め突起
８６：    上部カバー
８８：    コイルスプリング
１００：  固定ヒンジ
１１９：  孔
１４４：  突出部
１８１：  ガイド孔
３７１：  回転軸シャフト溝
【図１】
0006639681.tif 000002
【図２】
0006639681.tif 000003
【図３】
0006639681.tif 000004
【図４】
0006639681.tif 000005
【図５】
0006639681.tif 000006
【図６】
0006639681.tif 000007
【図７】
0006639681.tif 000008
【図８】
0006639681.tif 000009
【図９】
0006639681.tif 000010
【図１０】
0006639681.tif 000011
【図１１】
0006639681.tif 000012
【図１２】
0006639681.tif 000013
【図１３】
0006639681.tif 000014
【図１４】
0006639681.tif 000015
【図１５】
0006639681.tif 000016
【図１６】
0006639681.tif 000017
【図１７】
0006639681.tif 000018
【図１８】
0006639681.tif 000019
【図１９】
0006639681.tif 000020
【図２０】
0006639681.tif 000021
【図２１】
0006639681.tif 000022
【図２２】
0006639681.tif 000023
【図２３】
0006639681.tif 000024
【図２４】
0006639681.tif 000025
【図２５】
0006639681.tif 000026
【図２６】
0006639681.tif 000027
【図２７】
0006639681.tif 000028
【図２８】
0006639681.tif 000029
【図２９】
0006639681.tif 000030
【図３０】
0006639681.tif 000031
【図３１】
0006639681.tif 000032